(57)【要約】【課題】  発泡材料の流動を有効に抑制することができる発泡材を提供する。【解決手段】  発泡材１１は、外部加熱により発泡する発泡材料から形成される発泡部材１２と、自己粘着性を有する粘着材料から形成される粘着部材１３とを備えている。粘着部材１３には、その外面から突出する粘着側突出部１４が形成されている。この粘着側突出部１４は、発泡部材１２によって包囲されている。この発泡材１１は、粘着部材１３を介して構造部材の内部に貼着されて使用される。この発泡材１１は、構造部材に発泡部材１２から形成される発泡体を取着するものであり、この発泡体によって構造部材の吸音性、遮音性、制振性等が高められる。【選択図】      図１
2006206692.tif 000002
【特許請求の範囲】
【請求項１】
外部加熱により発泡する発泡材料から形成される発泡部材と、
自己粘着性を有する粘着材料から形成される粘着部材と、
を備え、前記発泡部材は前記粘着部材に接合されるとともに同粘着部材を介して被着体に貼着される発泡材において、
前記粘着部材には、その外面から突出する粘着側突出部が形成され、
同粘着側突出部が前記発泡部材により包囲されていることを特徴とする発泡材。
【請求項２】
前記粘着側突出部を、前記粘着部材が前記被着体に貼着される際における鉛直方向の下縁部に形成した請求項１に記載の発泡材。
【請求項３】
前記粘着側突出部を、前記粘着部材が前記被着体に貼着される際における鉛直方向に対向する上縁部に形成した請求項２に記載の発泡材。
【請求項４】
前記粘着側突出部を、前記被着体に貼着される際における水平方向にわたって形成した請求項１から請求項３のいずれか一項に記載の発泡材。
【請求項５】
前記発泡部材には、その外面から突出する発泡側突出部が形成され、
同発泡側突出部が前記粘着部材により包囲されている請求項１から請求項４のいずれか一項に記載の発泡材。
【請求項６】
外部加熱により発泡する発泡材料から形成される発泡部材と、
自己粘着性を有する粘着材料から形成される粘着部材と、
を備え、前記発泡部材は前記粘着部材に接合されるとともに同粘着部材を介して被着体に貼着される発泡材において、
前記発泡部材には、その外面から突出する発泡側突出部が複数形成され、
同発泡側突出部が前記粘着部材により包囲されていることを特徴とする発泡材。
【発明の詳細な説明】
【技術分野】
【０００１】
本発明は、各種構造部材に適用される発泡材に関するものである。
【背景技術】
【０００２】
従来、車両ピラー等に代表される構造部材は、車両の走行に伴って、構造部材の振動によって異音が発生したりすることがあった。こうした異音の発生を抑制するために、構造部材に発泡体を取着することが提案されている。すなわち、その発泡体によって、構造部材の振動を低減することにより、構造部材から発生する異音は抑制される。
【０００３】
構造部材に発泡体を取着するには、外部加熱により発泡する発泡部材と、この発泡部材に貼着された粘着部材とを備える発泡材が使用される（特許文献１、２参照）。この発泡材は、粘着部材の自己粘着性を利用して構造部材の内部に貼着して使用される。そして、外部から発泡部材に所定の熱量が移動すると、発泡部材の発泡（膨張）が開始され、最終的には発泡部材から発泡体が形成され、その結果、構造部材には発泡体が取着される。
【特許文献１】特開平１−１７０６８３号公報
【特許文献２】特開平７−２３８２７６号公報
【発明の開示】
【発明が解決しようとする課題】
【０００４】
ところで、発泡部材から発泡体が形成される過程において、発泡部材は外部加熱による発泡部材の軟化に伴って流動性を有する状態へ変化する。このため、発泡部材を構成する発泡材料の硬化速度等によっては、自重の影響等によって発泡材料が流動する現象が生じる。上記特許文献に記載のように、発泡材料が流動する現象は、その発泡部材に接合される粘着部材の粘着力等によって、ある程度は抑制されるものの、未だ改善の余地がある。
【０００５】
この発明は、こうした従来の実情に鑑みてなされたものであり、その目的は、発泡材料の流動を有効に抑制することができる発泡材を提供することにある。
【課題を解決するための手段】
【０００６】
上記の目的を達成するために請求項１に記載の発明は、外部加熱により発泡する発泡材料から形成される発泡部材と、自己粘着性を有する粘着材料から形成される粘着部材と、を備え、前記発泡部材は前記粘着部材に接合されるとともに同粘着部材を介して被着体に貼着される発泡材において、前記粘着部材には、その外面から突出する粘着側突出部が形成され、同粘着側突出部が前記発泡部材により包囲されていることを要旨とする。
【０００７】
この構成によれば、外部加熱による発泡部材の軟化に伴い、発泡部材が流動性を有する状態へ変化するに際し、粘着側突出部は、発泡材料の流動抵抗として機能する。
請求項２に記載の発明は、請求項１に記載の発泡材において、前記粘着側突出部を、前記粘着部材が前記被着体に貼着される際における鉛直方向の下縁部に形成したことを要旨とする。
【０００８】
この構成によれば、発泡部材から発泡体が形成される過程において、発泡部材の自重の影響によって発泡材料が鉛直方向へ流動するに際し、下縁部に形成される粘着側突出部はそうした流動の抵抗として機能する。
【０００９】
請求項３に記載の発明は、請求項２に記載の発泡材において、前記粘着側突出部を、前記粘着部材が前記被着体に貼着される際における鉛直方向に対向する上縁部に形成したことを要旨とする。
【００１０】
この構成によれば、発泡部材と粘着部材との接合面積が増大されるため、粘着部材による発泡部材の保持力が確保され易くなる。
請求項４に記載の発明は、請求項１から請求項３のいずれか一項に記載の発泡材において、前記粘着側突出部を、前記被着体に貼着される際における水平方向にわたって形成したことを要旨とする。
【００１１】
この構成によれば、発泡部材から発泡体が形成される過程において、発泡部材の自重の影響による発泡材料の鉛直方向への流動は、粘着側突出部によって水平方向にわたって抑制される。
【００１２】
請求項５に記載の発明は、請求項１から請求項４のいずれか一項に記載の発泡材において、前記発泡部材には、その外面から突出する発泡側突出部が形成され、
同発泡側突出部が前記粘着部材により包囲されていることを要旨とする。
【００１３】
この構成によれば、発泡側突出部を包囲する粘着部材は、発泡材料の流動抵抗として機能する。
請求項６に記載の発明は、外部加熱により発泡する発泡材料から形成される発泡部材と、自己粘着性を有する粘着材料から形成される粘着部材と、を備え、前記発泡部材は前記粘着部材に接合されるとともに同粘着部材を介して被着体に貼着される発泡材において、前記発泡部材には、その外面から突出する発泡側突出部が複数形成され、同発泡側突出部が前記粘着部材により包囲されていることを要旨とする。
【００１４】
この構成によれば、外部加熱による発泡部材の軟化に伴い、発泡部材が流動性を有する状態へ変化するに際し、発泡側突出部を包囲する粘着部材は、発泡材料の流動抵抗として機能する。さらに、発泡側突出部が複数形成されているため、発泡部材と粘着部材との接合面積が増大される結果、粘着部材による発泡部材の保持力が確保され易くなる。
【発明の効果】
【００１５】
本発明によれば、発泡材料の流動を有効に抑制することができる。
【発明を実施するための最良の形態】
【００１６】
（第１実施形態）
以下、本発明を具体化した第１実施形態を図１〜図３に基づいて詳細に説明する。
図１に示すように、発泡材１１は四角板状をなす発泡部材１２と、同じく四角板状をなす粘着部材１３とを備えている。発泡部材１２は外部加熱により発泡する発泡材料から形成され、粘着部材１３は自己粘着性を有する粘着材料から形成されている。発泡部材１２の一側面及び粘着部材１３の一側面は、それぞれ発泡側接合面１２ａ及び粘着側接合面１３ａとして構成され、発泡部材１２及び粘着部材１３は、発泡側接合面１２ａ及び粘着側接合面１３ａとを合わせるようにして接合されている。なお、発泡部材１２及び粘着部材１３は、粘着部材１３（すなわち、粘着側接合面１３ａ）の自己粘着性を利用して互いに接合される。
【００１７】
発泡部材１２を構成する発泡材料は、基材、発泡剤、架橋剤、充填剤、可塑剤等を含有して構成される。基材としては合成樹脂、エラストマー、ゴム等が挙げられる。合成樹脂は熱硬化性樹脂及び熱可塑性樹脂に分類され、熱硬化性樹脂としては、エポキシ樹脂、フェノール樹脂、ウレタン樹脂、アクリル樹脂等が挙げられ、熱可塑性樹脂としては、ポリオレフィン、ＥＶＡ（エチレン／ビニルアセテートコポリマー）等が挙げられる。エラストマーとしてはＳＢＳ（スチレン／ブタジエン／スチレンブロックコポリマー）等、ゴムとしてはＮＲ（天然ゴム）、ＥＮＲ（エポキシ化天然ゴム）、ＥＰＭ（エチレン／プロピレンゴム）等が挙げられる。発泡剤としてはアゾジカルボンアミド、ジニトロペンタメチレンテトラミン等、架橋剤としては周知のジメチルウレア、ジシアンジアミド、充填剤としては炭酸カルシウム、硫酸バリウム、フェライト、シリカ等が挙げられる。
【００１８】
粘着部材１３を構成する粘着材料は、合成樹脂、エラストマー、ゴム等を基材とした材料であって、具体的にはゴム系粘着材料、アクリル系粘着材料、ウレタン系粘着材料、シリコーン系粘着材料等が挙げられる。例えばゴム系粘着材料の基材としては、ＢＲ（ブタジエンゴム）、ＩＩＲ（イソブチレン／イソプレン共重合ゴム）、ＳＢＲ（スチレン／ブタジエンゴム）等が挙げられる。この粘着材料の体積膨張率は、発泡材料の体積膨張率よりも小さく設定されることで、粘着部材１３は発泡部材１２が発泡する際における発泡部材１２の保持機能を発揮するように構成されている。
【００１９】
図２に示すように、この発泡材１１は被着体としての構造部材３１に粘着部材１３を介して貼着される。詳述すると、構造部材３１は例えば車両のカウルを構成する部材であって、鋼板から形成されている。発泡材１１は、粘着部材１３の他側面、すなわち粘着側接合面１３ａと反対側の面を、構造部材３１に取り付ける取付面１３ｂとしている。発泡材１１は、構造部材３１に取付面１３ｂを貼着することによって、図２に二点鎖線で示すように構造部材３１における所定の部位に配置される。この構造部材３１は、図２における下方向を鉛直方向とする上下方向に延びるように配置され、その状態で発泡材１１は外部から加熱される。すなわち、図１及び図２において、発泡材１１における鉛直方向は下方向を示し、水平方向は発泡材１１を取付面１３ｂ側から見たときの左右方向を示す。
【００２０】
図１に示すように、粘着部材１３には、その外面から突出する粘着側突出部１４が形成されている。この粘着側突出部１４は、上部粘着側突出部１５及び下部粘着側突出部１６から構成されている。上部粘着側突出部１５は、粘着部材１３の鉛直方向に対向する上縁部に形成され、下部粘着側突出部１６は、粘着部材１３の鉛直方向の下縁部に形成されている。これら粘着側突出部１５、１６は、発泡部材１２によって包囲されている。すなわち、上部粘着側突出部１５の先端壁１５ａ及び下端壁１５ｂ、並びに下部粘着側突出部１６の先端壁１６ａ及び上端壁１６ｂは、粘着側接合面１３ａの一部を構成することで、発泡側接合面１２ａに包囲されるように構成されている。詳述すると、発泡部材１２には、各粘着側突出部１５、１６に対応して、上部発泡側凹部１２ｂ及び下部発泡側凹部１２ｃが形成され、これら発泡側凹部１２ｂ、１２ｃは発泡側接合面１２ａの一部を構成している。そして、各粘着側突出部１５、１６がそれぞれ各発泡側凹部１２ｂ、１２ｃに嵌合された状態で、発泡部材１２と粘着部材１３とは結合されている。各粘着側突出部１５、１６は、それぞれ左右方向に延びる長四角板状をなし、粘着側接合面１３ａの左右方向にわたって形成されている。
【００２１】
一方、発泡部材１２には、その外面から突出する発泡側突出部１７が形成されている。この発泡側突出部１７は、各発泡側凹部１２ｂ、１２ｃの形成に伴って、発泡部材１２の鉛直方向において中央部分に形成されている。発泡側突出部１７は、粘着部材１３によって包囲されている。すなわち、発泡側突出部１７の上端壁１７ａ、下端壁１７ｂ及び先端壁１７ｃは、発泡側接合面１２ａの一部を構成することで、粘着側接合面１３ａに包囲されるように構成されている。詳述すると、粘着部材１３には、各粘着側突出部１５、１６の形成に伴って、粘着側凹部１３ｃが形成され、この粘着側凹部１３ｃは粘着側接合面１３ａの一部を構成している。そして、発泡側突出部１７が粘着側凹部１３ｃに嵌合された状態で、発泡部材１２と粘着部材１３とは結合されている。発泡側突出部１７は、左右方向に延びる長四角板状をなし、発泡側接合面１２ａの左右方向にわたって形成されている。
【００２２】
さて、この発泡材１１は、粘着部材１３及び発泡部材１２を例えば押出成形、射出成形等によって成形し、発泡部材１２に粘着部材１３を貼着することによって製造される。図３（ａ）に示すように、この発泡材１１を使用するには、取付面１３ｂを構造部材３１の一側面に貼着することで、発泡材１１を構造部材３１の所定の部位に配置する。
【００２３】
この構造部材３１は車両ボディの一部を構成し、その車両ボディには、電着塗装、焼付塗装等の塗装が施される。発泡材１１は、車両の製造工程において、車両ボディが乾燥炉内で加熱される際に、所定温度で所定時間加熱される。この外部加熱による発泡部材１２の軟化に伴い、発泡部材１２は流動性を有する状態へ変化する。このとき、粘着部材１３には各粘着側突出部１５、１６が形成され、上部粘着側突出部１５の先端壁１５ａ及び下端壁１５ｂ、並びに下部粘着側突出部１６の先端壁１６ａ及び上端壁１６ｂは、発泡側接合面１２ａによって包囲されている。このため、各粘着側突出部１５、１６は、発泡材料が流動する際の流動抵抗として機能する。
【００２４】
続いて、外部から所定の熱量が発泡部材１２に移動すると、発泡材料の発泡（膨張）が開始される。そして、発泡材料を構成する基材の架橋反応等によって発泡した発泡材料が硬化することにより、図３（ｂ）に示すように発泡体１８が形成される。このとき、粘着側突出部１４によって発泡材料の流動は抑制されているため、発泡材１１の貼着位置に対する発泡材料の位置ずれが抑制されつつ、発泡材料の発泡（膨張）が行われるようになる。従って、発泡体１８は所定の位置に配置され易くなる。構造部材３１には、発泡材１１によって発泡体１８が取着されることで、構造部材３１の吸音性、遮音性、制振性等は高められる。
【００２５】
本実施形態によって発揮される効果について、以下に記載する。
（１）  粘着部材１３には粘着側突出部１４が形成され、粘着側突出部１４は発泡部材１２によって包囲されている。このため、外部加熱による発泡部材１２の軟化に伴い、発泡部材１２が流動性を有する状態へ変化するに際し、粘着側突出部１４を発泡材料の流動抵抗として機能させることができる。従って、発泡材料の流動を有効に抑制することができる。その結果、発泡材１１の貼着位置に対する発泡材料の位置ずれが抑制されつつ、発泡材料の発泡（膨張）が行われるようになる。よって、発泡体１８は所定の位置に設置され易くなるため、発泡体１８の機能を十分に発揮させることができる。
【００２６】
また従来では、例えば発泡材料自体の組成を変更して発泡材料の硬化速度を適宜設定することによって、発泡材料の流動を抑制しようとする場合、そうした流動の抑制には限界があるだけでなく、発泡材料自体の設計における制約になっていた。この発泡材１１は、粘着側突出部１４を形成することで、発泡部材１２及び粘着部材１３の構造によって発泡材料の流動を抑制している。この点において、発泡材料自体の設計に関する自由度が確保されるようになる。
【００２７】
（２）  粘着部材１３の下縁部には、下部粘着側突出部１６が形成されている。この構成によれば、発泡部材１２から発泡体１８が形成される過程において、発泡部材１２の自重の影響によって発泡材料が鉛直方向へ流動するに際し、下部粘着側突出部１６がそうした鉛直方向への流動の抵抗として有効に機能する。従って、発泡材料の鉛直方向への流動を有効に抑制することができる。
【００２８】
（３）  粘着部材１３の上縁部及び下縁部には、それぞれ上部粘着側突出部１５及び下部粘着側突出部１６が形成されている。この構成によれば、発泡部材１２と粘着部材１３との接合面積が増大されるため、粘着部材１３が発泡部材１２を保持する保持力は、確保され易くなる。このため、発泡材料の流動を一層有効に抑制することができる。
【００２９】
（４）  粘着側突出部１４は、水平方向にわたって形成されているため、自重の影響による発泡部材１２の流動を水平方向にわたって抑制することができる。従って、発泡材料の鉛直方向への流動を一層有効に抑制することができる。
【００３０】
（５）  発泡部材１２には、発泡側突出部１７が形成され、発泡側突出部１７は粘着部材１３によって包囲されている。このように構成した場合、発泡側突出部１７を包囲する粘着部材１３を、発泡材料の流動抵抗として機能させることができる。さらに、発泡側突出部１７によって発泡部材１２と粘着部材１３との接合面積は一層増大される。このため、発泡側接合面１２ａと粘着側接合面１３ａとの接合強度が確保され易くなり、発泡部材１２が流動性を有する状態へ変化した場合でも、粘着部材１３が発泡部材１２を保持する保持力が一層確保され易くなる。粘着部材１３による保持力と、粘着側突出部１４及び発泡側突出部１７の流動抵抗としての機能とが相乗的に作用する結果、発泡材料の流動を一層抑制することができる。
【００３１】
（第２実施形態）
次に、本発明を具体化した第２実施形態を図９に基づいて説明する。ここでは第１実施形態と相違する点を主に述べ、共通する点については同一部材番号を付すのみとしてその説明を省略する。
【００３２】
図９（ａ）及び図９（ｂ）に示すように、発泡部材１２には、その外面から突出する発泡側突出部としての柱状突起２３が複数形成されている。これらの柱状突起２３は、所定の間隔を空けて形成される一方、粘着部材１３には柱状突起２３に対応して複数の貫通孔１３ｄが形成されている。そして、柱状突起２３が貫通孔１３ｄに挿入された状態、すなわち柱状突起２３が粘着部材１３によって包囲された状態で、発泡部材１２及び粘着部材１３は接合されている。詳述すると、これら柱状突起２３の周壁２３ａがそれぞれ貫通孔１３ｄの内面により包囲されているとともに、柱状突起２３の先端壁２３ｂは、取付面１３ｂから露出している。
【００３３】
さて、外部加熱による発泡部材１２の軟化に伴い、発泡部材１２が流動性を有する状態へ変化するに際し、柱状突起２３を包囲する粘着部材１３は、発泡材料の流動抵抗として機能する。さらに、柱状突起２３が複数形成されているため、発泡部材１２と粘着部材１３との接合面積が増大される結果、粘着部材１３による発泡部材の保持力が確保され易くなる。従って、本実施形態の発泡材１１によれば、発泡材料の流動を有効に抑制することができる。
【００３４】
なお、前記実施形態を次のように変更して構成してもよい。
・  第１実施形態の粘着側突出部１４及び発泡側突出部１７の形状は長四角板状に限らず、三角板状、柱状、枠状等、他の形状に変更してもよい。例えば、図４（ａ）及び図４（ｂ）に示すように、粘着側突出部１４を四角枠状の粘着側突出部１９に変更してもよい。すなわち、四角板状の粘着部材１３の周縁部に四角枠状の粘着側突出部１９を形成する。このように構成した場合、発泡材１１の周縁部において、発泡材料の流動を好適に抑制することができる。
【００３５】
・  第２実施形態の発泡側突出部として、柱状突起２３以外に、四角板状、枠状等の他の形状の発泡側突出部を適用してもよい。
・  第１実施形態の発泡側突出部１７を省略してもよい。例えば、図４（ａ）及び図５（ａ）に示すように、発泡側突出部１７を有しない四角板状の発泡部材２０を採用してもよい。すなわち、図４（ａ）及び図４（ｂ）に示すように、発泡部材２０は四角枠状の粘着側突出部１９の内側に接合される。また、図５（ａ）に示すように、発泡部材２０は上端壁１６ｂの上側に接合される。この発泡部材２０は上端壁１６ｂのみを包囲する。
【００３６】
・  第１実施形態の発泡側突出部１７を複数に分割形成してもよい。
・  第１実施形態の粘着側突出部１４は、上部粘着側突出部１５及び下部粘着側突出部１６に分割構成されているが、粘着側突出部１４を単独で構成してもよい。例えば、図５（ａ）及び図５（ｂ）に示すように、上部粘着側突出部１５を省略し、下部粘着側突出部１６のみから構成してもよい。
【００３７】
・  第１実施形態の粘着側突出部１４を３つ以上に分割形成してもよい。例えば、図６（ａ）に示すように、発泡部材１２の上下方向における中間部に中間粘着側突出部２１をさらに形成してもよい。
【００３８】
・  第１実施形態の粘着側突出部１４を粘着部材１３の水平方向に対して部分的に形成してもよい。例えば、図６（ａ）に示すように、粘着側突出部１４として、粘着部材１３の水平方向における中間部に形成される中間粘着側突出部２１を採用してもよい。
【００３９】
・  第１実施形態において、粘着側突出部が発泡部材によって包囲されているとは、粘着側突出部が発泡部材によって部分的に包囲されていることに加え、粘着側突出部全体が発泡部材によって包囲されていることも含む。例えば、図６（ａ）に示す中間粘着側突出部２１は、粘着側突出部全体が発泡部材１２に形成される中間発泡側凹部２２によって包囲されている例である。
【００４０】
・  各実施形態の発泡側突出部が粘着部材によって包囲されているとは、発泡側突出部が粘着部材によって部分的に包囲されていることに加え、発泡側突出部全体が粘着部材によって包囲されていることも含む。例えば、図９（ａ）及び図９（ｂ）に示す貫通孔１３ｄを凹部に変更し、その凹部に柱状突起２３の全体、すなわち周壁２３ａ及び先端壁２３ｂが包囲されるように構成してもよい。
【００４１】
・  各実施形態における発泡側接合面１２ａの外周形状と粘着側接合面１３ａの外周形状とを異なる形状に構成してもよい。例えば、図６（ｂ）に示すように、第１実施形態における粘着側接合面１３ａの外周形状を四角形状以外の多角形状に変更してもよい。
【００４２】
・  各実施形態における取付面１３ｂの形状は、構造部材３１の内部における貼着部分の形状に合わせて適宜変更してもよい。すなわち、取付面１３ｂが曲面状であってもよいし、取付面１３ｂが凹凸を有していてもよい。
【００４３】
・  各実施形態における発泡側接合面１２ａと粘着側接合面１３ａとの接合とは、粘着部材１３の自己粘着性を利用した貼着による接合の他に、発泡側接合面１２ａと粘着側接合面１３ａとの間に別途接着層を設け、その接着層を利用した接着による接合も含む。
【００４４】
・  各実施形態における発泡材１１は、構造部材３１の内部に対して、粘着部材１３の自己粘着性を利用した貼着によって配置される他、必要に応じて接着剤、両面テープ等を使用して配置してもよい。
【００４５】
・  各実施形態における発泡材１１は、例えば車両ピラー等の中空構造部材を被着体としてもよい。図７及び図８（ａ）に示すように、中空構造部材３２はインナパネル３３及びアウタパネル３４を備えている。インナパネル３３及びアウタパネル３４は鋼板から形成され、各パネル３３、３４の鍔部３５同士が溶接等によって接合されることにより、中空構造部材３２が形成される。発泡材１１は、中空構造部材３２の内部（図７及び図８（ａ）ではインナパネル３３の内面）に取付面１３ｂを貼着することによって、中空構造部材３２の内部における所定の部位に配置される。外部から所定の熱量が発泡部材１２に移動すると、発泡部材１２の発泡から開始され、図８（ｂ）に示すように発泡体１８が形成される。この発泡体１８によって中空構造部材３２の空隙が充填され、中空構造部材３２の吸音性、遮音性、制振性、防塵性等は高められる。この場合でも、発泡材料の流動を有効に抑制することができるため、発泡材１１の貼着位置に対する発泡材料の位置ずれが抑制されつつ、発泡材料の発泡（膨張）が行われるようになる。従って、発泡体１８は所定の位置に充填され易くなるため、発泡体１８の機能を十分に発揮させることができる。
【００４６】
・  各実施形態の発泡材１１を適用する被着体としては、カバー、ドアパネル等の構造部材の他、ピラー、ロッカーパネル、ドアの内部等の中空構造部材、建造物における各種中空パネル等が挙げられる。発泡材１１を適用する被着体の形状は特に限定されない。
【図面の簡単な説明】
【００４７】
【図１】第１実施形態における発泡材を示す分解斜視図。
【図２】発泡材及び構造部材を示す斜視図。
【図３】（ａ）は発泡材が装着された構造部材を示す断面図、（ｂ）は発泡体が取着された構造部材を示す断面図。
【図４】（ａ）は別の発泡材を示す分解斜視図、（ｂ）はその発泡材が装着された構造部材を示す断面図。
【図５】（ａ）及び（ｂ）はそれぞれ別の発泡材が取着された構造部材を示す断面図。
【図６】（ａ）及び（ｂ）は別の発泡材を示す分解斜視図。
【図７】第１実施形態における発泡材及び分解状態の中空構造部材を示す斜視図。
【図８】（ａ）は発泡材が装着された中空構造部材を示す断面図、（ｂ）は発泡体が充填された中空構造部材を示す断面図。
【図９】（ａ）は第２実施形態の発泡材を示す分解斜視図、（ｂ）はその発泡材が取着された構造部材を示す断面図。
【符号の説明】
【００４８】
１１…発泡材、１２、２０…発泡部材、１２ａ…発泡側接合面、１２ｂ…上部発泡側凹部、１２ｃ…下部発泡側凹部、１３…粘着部材、１３ａ…粘着側接合面、１３ｂ…取付面、１３ｃ…粘着側凹部、１３ｄ…貫通孔、１４、１９…粘着側突出部、１５…上部粘着側突出部、１５ａ、１６ａ、１７ｃ、２３ｂ…先端壁、１５ｂ、１７ｂ…下端壁、１６…下部粘着側突出部、１６ｂ、１７ａ…上端壁、１７…発泡側突出部、１８…発泡体、２１…中間粘着側突出部、２２…中間発泡側凹部、２３…柱状突起、２３ａ…周壁、３１…構造部材、３２…中空構造部材、３３…インナパネル、３４…アウタパネル、３５…鍔部。
【図１】
2006206692.tif 000003
【図２】
2006206692.tif 000004
【図３】
2006206692.tif 000005
【図４】
2006206692.tif 000006
【図５】
2006206692.tif 000007
【図６】
2006206692.tif 000008
【図７】
2006206692.tif 000009
【図８】
2006206692.tif 000010
【図９】
2006206692.tif 000011